(57)【要約】      （修正有）【課題】アクセサリー等添付可能な手帳あるいは手帳カバーを提供する。【解決手段】手帳・本・ノートカバーあるいは手帳・本・ノートの表紙・背面・裏表紙にアクセサリー添付可能な付属具あるいは穴部を設けることで、しおり、チャーム、アクセサリー、めがね拭き等を自由に付けることを可能とする。【選択図】図６
0003144130.tif 000002
【実用新案登録請求の範囲】
【請求項１】
手帳カバーあるいは手帳表紙・背面・裏表紙にアクセサリー添付可能な付属具を設けたことを特徴とする手帳カバーあるいは手帳。
【請求項２】
該付属具はリング状であることを特徴とする請求項１記載のアクセサリー添付可能な手帳カバーあるいは手帳。
【請求項３】
該付属具は矩形状であることを特徴とする請求項１記載のアクセサリー添付可能な手帳カバーあるいは手帳。
【請求項４】
手帳カバーあるいは手帳背面上部にアクセサリー添付可能な穴を設けたことを特徴とするアクセサリー添付可能な手帳カバーあるいは手帳。
【考案の詳細な説明】
【技術分野】
【０００１】
本考案は、手帳あるいは手帳カバーにしおりやアクセサリーを容易に付けることができる考案に関する。
【背景技術】
【０００２】
従来、例えば手帳やノート、本には、背表紙とノート部分の間にしおり1本が接着されており、必要なページにそのしおりを使って挟むなどのことが行われてきたのみであって、しおりが不足する場合に別のしおりを使用するしかなく、またアクセサリーなどの取り付け部分が考慮されていなかった。
また、昨今携帯電話の普及により、携帯ストラップなるものについて種々の形のものが販売され、それと同時にチャーム（様々な形のある小さなアクセサリーパーツのことであって、欧米では昔からお守りとして身に付けられ、それぞれのモチーフに願いや想いが込められたもの）やアクセサリーなどを自分が毎日使用する愛着物をかわいらしく飾るということが行われている。
【０００３】
このような付属具取り付けの工夫のなされた手帳及び手帳カバーは、先行文献には見当たらない。なお、以後説明においては、代表して手帳・手帳カバーについて説明するが、これは手帳に限らずノート・本であっても良く、さらにはそのカバーとしては、ノートカバーあるいはブックカバーであっても良いことはもちろんである。
【考案の開示】
【考案が解決しようとする課題】
【０００４】
したがって、本考案は手帳や手帳カバーにちょっとした、付属具の取り付け可能部分を設けたものであり、従来不便であった、種々の付属具の取り付けを可能とするものである。  
【課題を解決するための手段】
【０００５】
上記の課題を解決するために、請求項１に記載の手帳カバーあるいは手帳は、手帳カバーあるいは手帳表紙・背面・裏表紙にアクセサリー添付可能な付属具を設けたことを要旨とする。
【０００６】
さらに、請求項２記載の手帳カバーあるいは手帳の付属具はリング状であることを要旨とする。
【０００７】
また、請求項３記載の手帳カバーあるいは手帳は、付属具が矩形状であることを要旨とする。
最後に請求項４記載の手帳カバーあるいは手帳背面上部にアクセサリー添付可能な穴を設けたことを要旨とする。
【０００８】
ここで、付属具とは、リング状、矩形枠状、コ字状、楕円状、ポール状、穴状など、どのような形状でも、アクセサリーやチャームを取り付け可能であれば、かまわない。
【０００９】
また、付属具は少なくとも、手帳カバーあるいは手帳にあれば良いが、両方に備わっており、両方をセットで使用しても良いことは勿論である。
【００１０】
複数の付属具があれば、1つにはアクセサリーをさらに残りにはしおりをたくさんつけて多数のページを瞬時に開くことを可能としても良い。
【考案の効果】
【００１１】
本考案によれば、何ら飾りのない従来の手帳に、アクセサリーやしおりさらにはチャームなど、必要に応じて簡単に付けることができ、手帳が華やかとなり、日記等をつけるのも楽しくなる。また、機能的にも、しおりなど増加させることができ、必要な箇所何箇所についても、しおりでのマークが可能となる。さらに矩形の長目の突起状のホルダーであれば、めがね拭きや簡単な不織布程度のものは挟めることとなる。
【００１２】
このような飾りが付いていることで、バッグの中から手帳を取り出す場合も非常に良く目に付き、取り出しやすくなるのに加え、取り出して使用中においても、飾りが適度に揺れたりして美しい状況がかもし出せることとなる。ファッショナブルな生活とすることができる。さらにしおり等を追加しておけば、自己の使用目的に応じて多数のページにしおりを挟むことが可能となり、使用勝手の良い手帳とすることができる。
【考案を実施するための最良の形態】
【００１３】
本考案における実施例を図１から図６を用いて説明する。図１から図４については、手帳カバー（１）を内側から見た図である。また図５〜６については、手帳（１’）を手帳カバーにセットした状態としており、付属具が手帳カバーではなく、手帳についている実施例について説明する。なお、手帳カバーは、ブックカバーであっても良いことは勿論である。
【実施例１】
【００１４】
図１はリング状の付属具（２）が背表紙の最上部に設けられている実施例１を示すものである。この位置に付属具が設けられていると、これにしおりなどを取り付けた場合は、図５に示すように、手帳あるいは本にしおりを追加することが可能となる。思い出に残る記述や後でゆっくり調べたい部分がある場合など、日常的に本を読んでいたり、仕事で手帳を調べていて、しおりがもっとたくさん必要だと感じる場合が多々発生する。このような場合には、この付属具が付いているだけで、即座にしおりの増設が可能となり、好ましい。本実施例では、リング状付属具（２）を帯状２つ折りの革製の取り付け部（５）に取り付けており、さらにその革製の折曲げ部と反対側は本の背表紙部分とページ部分の接着部分に挟みこんで取り付けている。この付属具（２）にしおり（４）を２本追加したものである。
必要に応じてこの本数は増やすことができ、さらにチャームやアクセサリーと同時につけても良い。チャームについては図６に示すように外側の本のカバーのある方に垂らし、しおりについては図５に示すように、本の中側に垂らすことが可能である。
【実施例２】
【００１５】
本考案では、付属具の取り付け位置を背表紙上部ではなく、図３に示すように、表紙上部にした場合である。これは当然のことながら、図示していないが裏表紙上部に設けても良いことはもちろんである。
さらに、図４に示すように、表紙側部に設けても良い。しかししおりについては背表紙に近い方がページに挟み込み易い。
【実施例３】
【００１６】
本実施例では、リング状ではなく、矩形の付属具（７）が設けられている（図４裏表紙参照）。そして、めがね拭き（６）をこの付属具に引っ掛けて使用している。手帳を使用しているときにすぐにめがね拭きを使用することができ、めがね拭きを無くしたりすることもなくなり、無くしても探す手間が要らなくなり便利である。
【実施例４】
【００１７】
本実施例では、図２に示すように、手帳カバーの背表紙の上部近くに穴（３）を設けており、この穴をアクセサリーなどの付着部として使用する。このようにすると、付属具が手帳カバーよりはみ出ないので、かばん等に収納した場合においても、引っかかったり、かばんを傷つけたりすることがない。穴の形状はどのようなものでも良いが、アクセサリーの取り付けという意味からは、背表紙の端部近くであれば、図２に示すように穴に通した紐やリングを上部で結んだり留めたりすることができるので好ましい。穴が摩擦等で傷まないように穴の周りを補強するとなお良い。
【産業上の利用可能性】
【００１８】
本考案は、従来無かった、手帳・本・ノートあるいはそれらのカバーに、アクセサリーやチャーム、しおり等を付けることができる付属具を設けているため、自己の手帳等の認識が容易となり、ファッション的にも好ましいものが提供可能となるので産業上の利用可能性を有する。
【図面の簡単な説明】
【００１９】
【図１】本考案の実施例１の手帳カバーの正面説明図である。
【図２】本考案の実施例４の手帳カバーの正面説明図である。
【図３】本考案の実施例２の手帳カバーの正面説明図である。
【図４】本考案の実施例３の手帳カバーの正面説明図である。
【図５】本考案の実施例１の手帳及び手帳カバーをセットした状態の斜視面説明図である。
【図６】本考案の実施例１の手帳カバーの裏面側斜視説明図である。
【符号の説明】
【００２０】
１  手帳カバー
１’手帳
２  アクセサリー添付可能な付属具
３  穴
４  しおり
５  付属具取り付け部
６  めがね拭き
７  矩形付属具
【図１】
0003144130.tif 000003
【図２】
0003144130.tif 000004
【図３】
0003144130.tif 000005
【図４】
0003144130.tif 000006
【図５】
0003144130.tif 000007
【図６】
0003144130.tif 000008